(57)【特許請求の範囲】
【請求項１】
プラスチックケース(2)の引掛部(4)に引っかけられる引掛片(3)を有すると共に、メッキしたプラスチックや金属板からなる少なくとも表面が金属で装飾された装飾板(1)がケース(2)の表面に装着されてなる電気かみそりにおいて、
ケース(2)に設けられた引掛部(4)が、ケース方面に開口された凹部で、この凹部は、底面をケース(2)と一体成形された絶縁底板(4A)で閉塞しており、この絶縁底板(4A)は、引掛片(3)とケース内部とを絶縁して、ケース(2)に内蔵される電子部品と引掛片(3)とを絶縁してなることを特徴とする電気かみそり。
【請求項２】
引掛(4)部である凹部が、ケース(2)の表面に上下方向に延長して設けられており、凹部の開口部には、上端または下端に引掛リブ(5)を設けており、引掛部(4)に係止される引掛片(3)は、この引掛リブ(5)に引っかけられるフック状に成形されてなる請求項１に記載される電気かみそり。
【発明の詳細な説明】
【０００１】
【発明の属する技術分野】
本発明は、プラスチックケースの表面に、表面にメッキを施したプラスチック板、あるいは、金属製の装飾板を装着してなる電気かみそりに関する。
【０００２】
【従来の技術】
電気かみそりは、外面を美しく装飾し、あるいは、パイロットランプ等の窓を綺麗に開口するたに、ケースの表面に、ケースとは別パーツの装飾板を固定している。装飾板は、ケースに簡単に連結するために、フック状の引掛片を背面から突出して設けている。装飾板を連結するケースは、この引掛片を挿入して連結する貫通孔を開口している。この構造のケースは、装飾板の引掛片を貫通孔に挿入し、フック状の引掛片をケースの内面に引っかけて抜けないようにする。
【０００３】
【発明が解決しようとする課題】
この構造の装飾板は、ネジ等を使用することなく、ケースに簡単に装着できる。また、引掛片を貫通孔に入れて、装飾板を正確な位置に固定できる特長もある。しかしながら、この構造で装飾板を固定する電気かみそりは、表面に導電性のあるメッキした装飾板を使用すると、ケース内部での絶縁処理が難しくなる。電気かみそりの装飾板は、表面を美しく装飾するために、メッキしたプラスチックや、綺麗に研磨した金属板が使用される。これ等の装飾板は、プラスチックでは到底実現できない美しい表面状態に仕上げることはできる。ただ、この装飾板は、表面に導電性のある装飾板となる。装飾板を装飾板に使用する電気かみそりは、引掛片がケースの内部に突出すると、ケース内に配設されるプリント基板等の電気回路部品に接近して絶縁のための沿面距離が短くなる。この弊害は、引掛片の表面を絶縁性の皮膜で被覆し、あるいは、プリント基板の上面を絶縁プレートでカバーする構造で防止できる。しかしながら、引掛片の表面を絶縁性の皮膜で被覆し、あるいは、絶縁プレートを配設する構造は、製造に手間がかかって、製造コストが高くなる。また、絶縁処理する構造は、絶縁皮膜が剥離したり損傷されると、絶縁性が低下する欠点がある。さらに、絶縁プレートを配設する構造は、これが位置ずれすると、絶縁性が低下する等の欠点がある。
【０００４】
本発明は、これ等の欠点を解消することを目的に開発されたもので、本発明の大切な目的は、表面が金属で装飾されている美しい装飾板を、簡単かつ容易に、しかも定位置に正確に固定して、ケースの内部を有効に絶縁処理できる電気かみそりを提供するにある。
【０００５】
【課題を解決するための手段】
本発明の電気かみそりは、装飾板１をケース２の表面に固定している。装飾板１は、プラスチックケース２の引掛部４に引っかけられる引掛片３を有する。さらに、装飾板１は、表面をメッキする等の構造で、少なくとも表面に導電性を有する。
【０００６】
さらに、本発明の電気かみそりは、ケース２に設けられた引掛部４を下記の独特の構造としている。すなわち、引掛部４は、ケース２の表面に開口された凹部で、凹部は、底面をケース２と一体成形された絶縁底板４Ａで閉塞している。絶縁底板４Ａは、引掛片３とケース２内部との間に配設されて、引掛片３をケース２に内蔵される電子部品等と絶縁する。
【０００７】
さらに、本発明の請求項２の電気かみそりは、引掛部４である凹部を、ケース２の表面に上下方向に延長して設けている。さらに、凹部の開口部は、上端または下端に引掛リブ５を設けている。引掛部４に係止される引掛片３は、この引掛リブ５に引っかけられるフック状に成形されている。
【０００９】
【発明の実施の形態】
以下、本発明の実施例を図面に基づいて説明する。ただし、以下に示す実施例は、本発明の技術思想を具体化するための電気かみそりを例示するものであって、本発明は電気かみそりを下記のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１に示す電気かみそりは、かみそり本体７と、このかみそり本体７に脱着自在に装着される外刃枠８と、外刃枠８の内側に装着される内刃を連結しているブレードホルダー９を備える。
【００１２】
かみそり本体７は、図２の分解斜視図に示すように、本体ケース２に、モーター１０を含む駆動機構と、電気回路部品を固定するプリント基板１１とを内蔵している。本体ケース２は、プラスチックの成形品で、表面ケース２Ａと背面ケース２Ｂとに２分割される形状に成形されている。表面ケース２Ａと背面ケース２Ｂは、図示しないが、上下のそれぞれ２カ所をネジ止して連結される。
【００１３】
図２において、左側に位置する表面ケース２Ａは、前面にスイッチプレート１２と、装飾板１を装着している。表面ケース２Ａは、スイッチプレート１２と装飾板１を装着する部分を低くして、スイッチプーリー１２と装飾板１をケース表面と同一平面としている。スイッチプレート１２は、上下に移動できるように表面ケース２Ａに装着され、装飾板１は移動しないように表面ケース２Ａに固定される。
【００１４】
スイッチプレート１２は、表面ケース２Ａの内面を摺動するスイッチ支持板１３に連結されている。スイッチ支持板１３は、プラスチック製で、表面ケース２Ａの縦孔１４を貫通してスイッチプレート１２の背面に連結される連結フック１５を一体成形している。スイッチプレート１２は、図示しないが、背面に連結フック１５を係止する係止凹部（図示せず）を成形している。連結フック１５を介して連結されるスイッチプレート１２とスイッチ支持板１３は、表面ケース２Ａを両面から挟着する状態で、上下に摺動される。スイッチプレート１２が上下に移動するとき、連結フック１５は縦孔１４を移動する。スイッチ支持板１３は、プリント基板１１の表面に接触して摺動するスイッチ端子（図示せず）を固定している。スイッチ支持板１３は、上昇されるとオンになってモーター１０を回転させ、降下されるとオフに切り換えられる。モーター１０が回転されると、内刃が往復運動される。
【００１５】
装飾板１は、引掛片３を引掛部４に連結して表面ケース２Ａに固定される。装飾板１は、表面を金属でメッキしたプラスチック成形プレートである。ただ、装飾板１は、全体を金属製とすることもできる。装飾板１を表面ケース２Ａに連結する構造をわかりやすくするために、装飾板１の表裏を反転させた斜視図を図３に示す。さらに、装飾板１を表面ケース２Ａに連結する部分の断面図を図４に示す。これ等の図に示す装飾板１は、上部の２カ所と、下部の２カ所に引掛片３を一体成形している。上部の引掛片３の中央でその上方には、ストッパー凸部６を一体成形している。ストッパー凸部６の先端面は、引掛部４である凹部にスムーズに案内できるように、図４の断面図で示すように傾斜面としている。下部の引掛片３は、装飾板１下部の湾曲部分に設けられている。下部の引掛片３は、長く突出して、表面ケース２Ａの下端の湾曲部に連結される。
【００１６】
上下の引掛片３は、先端を外側に突出させるフック状に成形されている。さらに、図に示す装飾板１は、下端縁の両側に、挿入凸起１６を一体成形している。
【００１７】
表面ケース２Ａは、装飾板１の引掛片３を係止する引掛部４を上下に設けている。上の引掛部４は、表面ケース２Ａの前面に開口された凹部で、凹部の底は、表面ケース２Ａと一体成形された絶縁底板４Ａで閉塞されている。絶縁底板４Ａは、凹部の底面全体を隙間なく閉塞する。ただ、絶縁底板は、多少空隙のある状態で、凹部の底面を閉塞することもできる。引掛部４である凹部は、開口部の平面形状を長方形として、上下方向に延長される所定の上下幅を有する。さらに、凹部は、開口部の下端に、内側に突出して引掛リブ５を設けている。引掛リブ５は、フック状の引掛片３を引っかける。図に示す引掛部４は、引掛片３を上から下に移動させて、引掛部４に係止する。このため、引掛リブ５を凹部の下端に設けている。引掛片を下から上に移動させて引掛部に係止する凹部は、引掛リブを開口部の上端に設ける。
【００１８】
表面ケース２Ａの下部に設けた引掛部４である凹部は、装飾板１の下の引掛片３を係止する。この引掛部４は、凹部の底を絶縁底板４Ａで閉塞すると共に、絶縁底板４Ａから突出して引掛片３を係止する係止支柱４Ｂを一体成形している。係止支柱４Ｂは、引掛片３の下端を係止できるように、内側に突出するフック状に成形されている。さらに、下部の引掛部４は、装飾板１の下端に突出して設けられている挿入凸起１６を案内する嵌着溝１７を設けている。
【００１９】
この構造の装飾板１は、図４の矢印で示すように、表面ケース２Ａに沿わせた状態で下方に移動させると、引掛片３が引掛部４に引っかけられて、表面ケース２Ａに固定される。装飾板１を降下させて表面ケース２Ａに固定する状態で、上下の引掛片３は上下の引掛部４に引っ掛けられ、装飾板１下端の挿入凸起１６は嵌着溝１７に挿入される。さらに、この状態で装飾板１が上昇して外れないように、ストッパー凸部６が、上の引掛部４の凹部の上面に当接される。この状態で、表面ケース２Ａに固定される装飾板１は、表面が表面ケース２Ａに沿う形状に成形され、さらに、表面がメッキされて表面ケース２Ａの前面を美しく装飾する。
【００２０】
さらに、図３に示す装飾板１は、パイロットランプの光を外部に照射する貫通孔１８を開口している。貫通孔１８の内側には、表面ケースにも貫通孔１９が開口され、その内側には、図示しないが、ＬＥＤ等のパイロットランプが配設される。パイロットランプは、ケース２に内蔵されるプリント基板１１に固定して、定位置に配設される。
【００２１】
プリント基板１１は、図２に示すように、裏面を表面ケース２Ａの内面に接近して内蔵される。スイッチプレート１２で往復運動されるスイッチ支持板１３に装着されるスイッチ端子を、プリント基板１１の表面に摺動させるためである。プリント基板１１の表面には、二次電池２０や、二次電池の充電回路を構成する電子パーツを固定している。
【００２２】
かみそり本体７に脱着自在に装着される外刃枠８は、外刃ケースを介して、２連のアーチ外刃２１と２連のスリット外刃２２とを装着している。ブレードホルダー９は、かみそり本体７の駆動機構に往復運動される内刃台２３を内蔵している。この内刃台２３は、アーチ外刃２１の内面を摺動するアーチ内刃２４を連結している。図２の電気かみそりは、スリット内刃をスリット外刃２２に連結している。スリット内刃は、ブレードホルダー９をかみそり本体７に装着したときに、内刃台２３に連結されて往復運動される。
【００２３】
内刃台２３は、図２に示す駆動機構で往復運動される。駆動機構は、ブレードホルダー９の内刃台２３に連結される振動台２５と、この振動台２５を往復運動させるモーター１０と、モーター１０の回転を往復運動に変換して振動台２５を往復運動させる変換機構とを備える。
【００２４】
変換機構は、モーター１０の回転軸に固定されるカム軸と、このカム軸の偏心軸を振動台２５に連結するコンロッドとで構成される。この構造の駆動機構は、モーター１０でカム軸を回転させ、カム軸の偏心軸の回転運動をコンロッドで往復運動に変換して振動台２５を往復運動させる。
【００２５】
【発明の効果】
本発明の電気かみそりは、金属で美しく表面処理された装飾板を、簡単かつ容易に、しかも定位置に正確に固定して、沿面距離を長くできる特長がある。それは、本発明の電気かみそりが、装飾板を連結するためにケースに設けている引掛部を、ケース表面に開口する凹部とし、この凹部の底面を、ケースと一体成形している絶縁底板で閉塞し、絶縁底板で装飾板の引掛片とケース内部とを絶縁しているからである。とくに、ケースと一体成形された絶縁底板は、従来の電気かみそりのように、ケースとプリント基板との間に配設される絶縁プレートが位置ずれすることがなく、装飾板とケース内部とを極めて高い信頼性で絶縁できる特長がある。さらに、絶縁底板は、ケースを成形するときに定位置に固定されるので、組み立て工程で絶縁底板を定位置に固定する必要なく、また、絶縁底板をケースやプリント基板の定位置に連結するための複雑な連結構造も必要としない。このため、安価に多量生産して、装飾板とケース内部とを有効に絶縁できる特長がある。
【００２６】
さらに、本発明の請求項２に記載する電気かみそりは、装飾板をケースの表面に沿わせて移動して、簡単にケースに固定できる特徴がある。
【図面の簡単な説明】
【図１】本発明の実施例の電気かみそりであって、外刃枠とブレードホルダーを外した状態を示す斜視図
【図２】図１に示す電気かみそりの分解斜視図
【図３】図１に示す電気かみそりの装飾板を外して表裏を反転させた状態を示す斜視図
【図４】図１に示す電気かみそりの装飾板連結部分の断面図
【符号の説明】
１…装飾板
２…ケース        ２Ａ…表面ケース    ２Ｂ…背面ケース
３…引掛片
４…引掛部        ４Ａ…絶縁底板      ４Ｂ…係止支柱
５…引掛リブ
６…ストッパー凸部
７…かみそり本体
８…外刃枠
９…ブレードホルダー
１０…モーター
１１…プリント基板
１２…スイッチプレート
１３…スイッチ支持板
１４…縦孔
１５…連結フック
１６…挿入凸起
１７…嵌着溝
１８…貫通孔
１９…貫通孔
２０…二次電池
２１…アーチ外刃
２２…スリット外刃
２３…内刃台
２４…アーチ内刃
２５…振動台
【図１】
0003568330.tif 000002
【図２】
0003568330.tif 000003
【図３】
0003568330.tif 000004
【図４】
0003568330.tif 000005